【手続補正書】
【提出日】平成16年4月28日(2004.4.28)
【手続補正１】
【補正対象書類名】明細書
【補正対象項目名】特許請求の範囲
【補正方法】変更
【補正の内容】
【特許請求の範囲】
【請求項１】
コンテンツ情報送信処理を実行する情報処理装置であり、
コンテンツ、およびコンテンツ属性情報としてのメタデータを記憶した記憶部と、
コンテンツ情報要求装置としてのクライアントとのデータ送受信処理を実行するデータ送受信部と、
クライアントからのコンテンツ情報取得要求の受領に基づいて、前記記憶部からメタデータを抽出し、メタデータの構成要素であるプロパティ情報に基づいて、クライアントに送信するコンテンツ情報を生成する制御部とを有し、
前記制御部は、
階層構成を有しコンテンツ区分として設定されたクラスに基づいて前記メタデータを管理し、クライアントからのクラス指定のコンテンツ情報取得要求の受領に基づいて、指定クラスに共通のプロパティ情報を抽出し、抽出したプロパティ情報各々のデータに許容されるデータ編集情報を各プロパティ毎に定義したコンテンツ情報を生成し、前記データ送受信部を介して送信する構成を有することを特徴とする情報処理装置。
【請求項２】
前記制御部は、
前記データ編集情報を各プロパティ毎に記述したＸＭＬ（eXtended Markup Language）データの生成により、コンテンツ情報の生成処理を実行する構成であることを特徴とする請求項１に記載の情報処理装置。
【請求項３】
前記制御部は、前記クライアントからのクラス指定なしのコンテンツ情報取得要求の受領に基づいて、情報処理装置において管理するクラスの一覧情報をクライアントに対する送信情報として生成する処理を実行する構成であることを特徴とする請求項１に記載の情報処理装置。
【請求項４】
前記データ編集情報は、プロパティ情報の書き換え処理、追加処理、削除処理の少なくともいずれかの処理の可否を設定した情報を含むことを特徴とする請求項１に記載の情報処理装置。
【請求項５】
前記データ編集情報は、プロパティ情報の許容データ値を定義した情報を含むことを特徴とする請求項１に記載の情報処理装置。
【請求項６】
コンテンツ情報の取得処理を行う情報処理装置であり、
コンテンツ情報を保有するサーバとのデータ送受信処理を実行するデータ送受信部と、
前記データ送受信部を介して前記サーバから受信するコンテンツ情報に基づいて出力部に表示する表示情報を生成する制御部と、
前記制御部の生成した表示情報を出力表示する表示部とを有し、
前記制御部は、前記サーバから受信するコンテンツ情報の構成要素としてのプロパティ情報毎にデータ編集情報を認識可能とした表示情報の生成処理を実行する構成であることを特徴とする情報処理装置。
【請求項７】
前記サーバから受信するコンテンツ情報は、前記データ編集情報を各プロパティ毎に記述したＸＭＬ（eXtended Markup Language）データであり、
前記制御部は、
前記ＸＭＬデータの解析により、プロパティ情報毎のデータ編集情報を認識可能な表示情報の生成処理を実行する構成であることを特徴とする請求項６に記載の情報処理装置。
【請求項８】
前記データ編集情報は、プロパティ情報の書き換え処理、追加処理、削除処理の少なくともいずれかの処理の可否を設定した情報を含み、
前記制御部は、
前記プロパティ情報毎に、書き換え処理、追加処理、削除処理の少なくともいずれかの処理可否を識別可能な態様を持つ表示情報の生成処理を実行する構成であることを特徴とする請求項６に記載の情報処理装置。
【請求項９】
前記データ編集情報は、プロパティ情報の許容データ値を定義した情報を含み、
前記制御部は、
前記プロパティ情報毎に、許容データ値を識別可能な態様を持つ表示情報の生成処理を実行する構成であることを特徴とする請求項６に記載の情報処理装置。
【請求項１０】
コンテンツ情報送信処理を実行する情報処理装置であり、
コンテンツおよびコンテンツ属性情報としてのメタデータを記憶した記憶部と、
コンテンツ情報要求装置としてのクライアントとのデータ送受信処理を実行するデータ送受信部と、
クライアントからのコンテンツ情報取得要求の受領に基づいて、前記記憶部からメタデータを抽出し、メタデータの構成要素であるプロパティ情報に基づいて、クライアントに送信するコンテンツ情報を生成する制御部とを有し、
前記制御部は、
階層構成を有しコンテンツ区分として設定されたクラスに基づいて前記メタデータを管理し、クライアントからのクラス指定のコンテンツ情報取得要求の受領に基づいて、指定クラスに共通のプロパティ情報を抽出し、抽出したプロパティ情報に基づいて、クライアントに対して送信可能なコンテンツデータのデータ態様情報としてクライアント側デバイスにおける処理可能性を判定可能なデータ態様情報を含むコンテンツ情報を生成し、前記データ送受信部を介して送信する構成を有することを特徴とする情報処理装置。
【請求項１１】
前記制御部は、前記クライアントからのクラス指定なしのコンテンツ情報取得要求の受領に基づいて、情報処理装置において管理するクラスの一覧情報をクライアントに対する送信情報として生成する処理を実行する構成であることを特徴とする請求項１０に記載の情報処理装置。
【請求項１２】
コンテンツ情報送信処理を実行する情報処理方法であり、
クライアントからのコンテンツ情報取得要求を受信するコンテンツ情報取得要求受信ステップと、
記憶部からコンテンツ属性情報としてのメタデータを抽出し、メタデータの構成要素であるプロパティ情報に基づいて、クライアントに送信するコンテンツ情報を生成するコンテンツ情報生成ステップと、
生成したコンテンツ情報をデータ送受信部を介してクライアントに対して送信するコンテンツ情報送信ステップとを有し、
前記コンテンツ情報生成ステップは、
前記クライアントからのコンテンツ情報取得要求が、コンテンツ区分として設定されるクラス指定のコンテンツ情報取得要求である場合、指定クラスに共通のプロパティ情報を抽出し、抽出したプロパティ情報各々のデータに許容されるデータ編集情報を各プロパティ毎に定義したコンテンツ情報を生成するステップであることを特徴とする情報処理方法。
【請求項１３】
前記コンテンツ情報生成ステップは、
前記データ編集情報を各プロパティ毎に記述したＸＭＬ（eXtended Markup Language）データの生成により、コンテンツ情報の生成処理を実行することを特徴とする請求項１２に記載の情報処理方法。
【請求項１４】
前記コンテンツ情報生成ステップは、前記クライアントからのクラス指定なしのコンテンツ情報取得要求の受領に基づいて、情報処理装置において管理するクラスの一覧情報をクライアントに対する送信情報として生成する処理を実行することを特徴とする請求項１２に記載の情報処理方法。
【請求項１５】
前記データ編集情報は、プロパティ情報の書き換え処理、追加処理、削除処理の少なくともいずれかの処理の可否を設定した情報を含むことを特徴とする請求項１２に記載の情報処理方法。
【請求項１６】
前記データ編集情報は、プロパティ情報の許容データ値を定義した情報を含むことを特徴とする請求項１２に記載の情報処理方法。
【請求項１７】
コンテンツ情報の取得処理を行う情報処理方法であり、
データ送受信部を介してサーバから受信するコンテンツ情報に基づいて出力部に表示する表示情報を生成する表示情報生成ステップと、
前記表示情報を出力表示する表示ステップとを有し、
前記表示情報生成ステップは、前記サーバから受信するコンテンツ情報の構成要素としてのプロパティ情報毎にデータ編集情報を認識可能とした表示情報の生成処理を実行することを特徴とする情報処理方法。
【請求項１８】
前記サーバから受信するコンテンツ情報は、前記データ編集情報を各プロパティ毎に記述したＸＭＬ（eXtended Markup Language）データであり、
前記表示情報生成ステップは、
前記ＸＭＬデータの解析により、プロパティ情報毎のデータ編集情報を認識可能な表示情報の生成処理を実行することを特徴とする請求項１７に記載の情報処理方法。
【請求項１９】
前記データ編集情報は、プロパティ情報の書き換え処理、追加処理、削除処理の少なくともいずれかの処理の可否を設定した情報を含み、
前記表示情報生成ステップは、
前記プロパティ情報毎に、書き換え処理、追加処理、削除処理の少なくともいずれかの処理可否を識別可能な態様を持つ表示情報の生成処理を実行することを特徴とする請求項１７に記載の情報処理方法。
【請求項２０】
前記データ編集情報は、プロパティ情報の許容データ形式を定義した情報を含み、
前記表示情報生成ステップは、
前記プロパティ情報毎に、許容データ形式を識別可能な態様を持つ表示情報の生成処理を実行することを特徴とする請求項１７に記載の情報処理方法。
【請求項２１】
前記データ編集情報は、プロパティ情報の許容データ値を定義した情報を含み、
前記表示情報生成ステップは、
前記プロパティ情報毎に、許容データ値を識別可能な態様を持つ表示情報の生成処理を実行することを特徴とする請求項１７に記載の情報処理方法。
【請求項２２】
コンテンツ情報送信処理を実行する情報処理方法であり、
クライアントからのコンテンツ情報取得要求を受信するコンテンツ情報取得要求受信ステップと、
記憶部からコンテンツ属性情報としてのメタデータを抽出し、メタデータの構成要素であるプロパティ情報に基づいて、クライアントに送信するコンテンツ情報を生成するコンテンツ情報生成ステップと、
生成したコンテンツ情報をデータ送受信部を介してクライアントに対して送信するコンテンツ情報送信ステップとを有し、
前記コンテンツ情報生成ステップは、
前記クライアントからのコンテンツ情報取得要求が、コンテンツ区分として設定されるクラス指定のコンテンツ情報取得要求である場合、指定クラスに共通のプロパティ情報を抽出し、抽出したプロパティ情報に基づいて、クライアントに対して送信可能なコンテンツデータのデータ態様情報としてクライアント側デバイスにおける処理可能性を判定可能なデータ態様情報を含むコンテンツ情報を生成するステップであることを特徴とする情報処理方法。
【請求項２３】
前記コンテンツ情報生成ステップは、前記クライアントからのクラス指定なしのコンテンツ情報取得要求の受領に基づいて、情報処理装置において管理するクラスの一覧情報をクライアントに対する送信情報として生成する処理を実行することを特徴とする請求項２２に記載の情報処理方法。
【請求項２４】
コンテンツ情報送信処理を実行するコンピュータ・プログラムであり、
クライアントからのコンテンツ情報取得要求を受信するコンテンツ情報取得要求受信ステップと、
記憶部からコンテンツ属性情報としてのメタデータを抽出し、メタデータの構成要素であるプロパティ情報に基づいて、クライアントに送信するコンテンツ情報を生成するコンテンツ情報生成ステップと、
生成したコンテンツ情報をデータ送受信部を介してクライアントに対して送信するコンテンツ情報送信ステップとを有し、
前記コンテンツ情報生成ステップは、
前記クライアントからのコンテンツ情報取得要求が、コンテンツ区分として設定されるクラス指定のコンテンツ情報取得要求である場合、指定クラスに共通のプロパティ情報を抽出し、抽出したプロパティ情報各々のデータに許容されるデータ編集情報を各プロパティ毎に定義したコンテンツ情報を生成するステップであることを特徴とするコンピュータ・プログラム。
【請求項２５】
コンテンツ情報の取得処理を実行するコンピュータ・プログラムであり、
データ送受信部を介してサーバから受信するコンテンツ情報に基づいて出力部に表示する表示情報を生成する表示情報生成ステップと、
前記表示情報を出力表示する表示ステップとを有し、
前記表示情報生成ステップは、前記サーバから受信するコンテンツ情報に含まれるコンテンツ情報の構成要素としてのプロパティ情報毎にデータ編集情報を認識可能とした表示情報の生成処理を実行するステップを含むことを特徴とするコンピュータ・プログラム。
【請求項２６】
コンテンツ情報送信処理を実行するコンピュータ・プログラムであり、
クライアントからのコンテンツ情報取得要求を受信するコンテンツ情報取得要求受信ステップと、
記憶部からコンテンツ属性情報としてのメタデータを抽出し、メタデータの構成要素であるプロパティ情報に基づいて、クライアントに送信するコンテンツ情報を生成するコンテンツ情報生成ステップと、
生成したコンテンツ情報をデータ送受信部を介してクライアントに対して送信するコンテンツ情報送信ステップとを有し、
前記コンテンツ情報生成ステップは、
前記クライアントからのコンテンツ情報取得要求が、コンテンツ区分として設定されるクラス指定のコンテンツ情報取得要求である場合、指定クラスに共通のプロパティ情報を抽出し、抽出したプロパティ情報に基づいて、クライアントに対して送信可能なコンテンツデータのデータ態様情報としてクライアント側デバイスにおける処理可能性を判定可能なデータ態様情報を含むコンテンツ情報を生成するステップであることを特徴とするコンピュータ・プログラム。